(57)【要約】【課題】照明設備を自動的かつ適切に制御することにより、ユーザの快適性を高めることができる照明設備の制御システムを提供する。【解決手段】建物１０内において、ＬＤ１１には各照明２１〜２４が設けられ、寝室１２には各照明２５，２６が設けられている。各照明２１〜２６は、３段階の明るさと３種類の色調とが調整可能であり、これらの組み合わせにより点灯される。ＬＤ１１内にはバイタルセンサ２７，２８が、寝室１２内にはバイタルセンサ２９が設けられている。コントローラは、各バイタルセンサ２７，２８によりＬＤ１１内における生体情報と位置情報とを取得し、取得された生体情報と位置情報とに基づいて、各照明２１〜２４の運転態様を決定する。また、コントローラは、バイタルセンサ２９により寝室１２内における生体情報と位置情報とを取得し、取得された生体情報と位置情報とに基づいて、各照明２５，２６の運転態様を決定する。【選択図】      図１
2020173940.tif 000002
【特許請求の範囲】
【請求項１】
建物内の屋内空間に設けられた照明設備を制御する照明制御手段と、
前記屋内空間内におけるユーザの位置情報を取得する位置情報取得手段と、
前記屋内空間内のユーザの生体情報を取得する生体情報取得手段と、
前記位置情報取得手段により取得された前記位置情報と前記生体情報取得手段により取得された前記生体情報とに基づいて、前記照明制御手段による前記照明設備の運転態様を決定する運転態様決定手段と、
を備えることを特徴とする、照明設備の制御システム。
【請求項２】
前記位置情報取得手段により取得された前記位置情報に基づいて、前記屋内空間内においてユーザが場所移動を伴う移動状態にあるか又は場所移動を伴わない静止状態にあるかを判定する移動判定手段と、
ユーザが前記静止状態にあると判定された場合に、前記生体情報取得手段により取得された前記生体情報に基づいて、当該ユーザの精神状態を判定する精神状態判定手段と、
を備え、
前記運転態様決定手段は、前記移動判定手段の判定結果と前記精神状態判定手段の判定結果とに基づいて前記照明設備の運転態様を決定する、請求項１に記載の照明設備の制御システム。
【請求項３】
前記位置情報取得手段により取得された前記位置情報に基づいて、前記屋内空間内においてユーザが場所移動を伴う移動状態にあるか又は場所移動を伴わない静止状態にあるかを判定する移動判定手段と、
ユーザが前記静止状態にあると判定された場合に、前記生体情報取得手段により取得された前記生体情報に基づいて、当該ユーザの精神状態がリラックス状態であるか又は集中状態にあるかを判定する精神状態判定手段と、
ユーザが前記リラックス状態にあると判定された場合に、そのリラックス状態でのユーザの行動内容を判定する行動内容判定手段と、
を備え、
前記運転態様決定手段は、前記移動判定手段の判定結果と、前記精神状態判定手段の判定結果と、前記行動内容判定手段の判定結果とに基づいて前記照明設備の運転態様を決定する、請求項１に記載の照明設備の制御システム。
【請求項４】
前記屋内空間内における複数の場所についてそれらの場所ごとに行動内容が対応付けられており、
前記行動内容判定手段は、前記位置情報に基づき把握されるユーザの所在場所に基づいて、前記行動内容を判定する、請求項３に記載の照明設備の制御システム。
【請求項５】
前記屋内空間内においてユーザが不在であり、かつペットが存在しているか否かを判定するペット判定手段を備え、
前記運転態様決定手段は、前記ペット判定手段によりユーザが不在であり、かつペットが存在していると判定された場合、前記照明設備の運転態様をペットに適した運転態様に決定する、請求項１〜４のいずれか１項に記載の照明設備の制御システム。
【請求項６】
前記建物内の複数の前記屋内空間に前記照明設備がそれぞれ設けられており、
前記運転態様決定手段は、前記建物内の前記屋内空間ごとに定めた、前記位置情報及び前記生体情報と前記照明設備の運転態様との関係を用い、前記位置情報と前記生体情報とに基づいて前記照明設備の運転態様を決定する、請求項１〜５のいずれか１項に記載の照明設備の制御システム。
【発明の詳細な説明】
【技術分野】
【０００１】
本発明は、照明設備の制御システムに関するものである。
【背景技術】
【０００２】
近年、建物内の照明設備を制御する技術が提案されている。例えば、特許文献１には、複数の人が利用する寝室において、寝室までの経路と寝室とにおける照明制御を行うことにより、他の就寝者の睡眠を妨げることがない照明制御システムが開示されている。
【先行技術文献】
【特許文献】
【０００３】
【特許文献１】特開２０１８−００６０８７号公報
【発明の概要】
【発明が解決しようとする課題】
【０００４】
ところで、建物内には、複数の部屋にそれぞれ照明設備が設けられている。各部屋によって、また各部屋での活動内容によって、ユーザにとって快適とされる照明環境（例えば、照度、色調等）は異なるものと考えられる。
【０００５】
本発明は、上記事情に鑑みてなされたものであり、照明設備を自動的かつ適切に制御することにより、ユーザの快適性を高めることができる照明設備の制御システムを提供することを目的とする。
【課題を解決するための手段】
【０００６】
上記目的を達成すべく、第１の発明の照明設備の制御システムは、
建物内の屋内空間に設けられた照明設備を制御する照明制御手段と、
前記屋内空間内におけるユーザの位置情報を取得する位置情報取得手段と、
前記屋内空間内のユーザの生体情報を取得する生体情報取得手段と、
前記位置情報取得手段により取得された前記位置情報と前記生体情報取得手段により取得された前記生体情報とに基づいて、前記照明制御手段による前記照明設備の運転態様を決定する運転態様決定手段と、
を備えることを特徴とする。
【０００７】
建物内の屋内空間においては、ユーザの状況に応じて望ましい照明設備の運転態様（例えば、照度、色調等）があると考えられる。この点、上記構成によれば、屋内空間内のユーザの位置情報と生体情報とに基づいて、照明設備の運転態様が決定できる。これにより、ユーザの状況に応じてより適切とされる照明環境に自動的に制御でき、ユーザの快適性を高めることができる。
【０００８】
第２の発明の照明設備の制御システムは、第１の発明において、
前記位置情報取得手段により取得された前記位置情報に基づいて、前記屋内空間内においてユーザが場所移動を伴う移動状態にあるか又は場所移動を伴わない静止状態にあるかを判定する移動判定手段と、
ユーザが前記静止状態にあると判定された場合に、前記生体情報取得手段により取得された前記生体情報に基づいて、当該ユーザの精神状態を判定する精神状態判定手段と、
を備え、
前記運転態様決定手段は、前記移動判定手段の判定結果と前記精神状態判定手段の判定結果とに基づいて前記照明設備の運転態様を決定することを特徴とする。
【０００９】
ユーザが屋内空間内にいる場合には、例えば、部屋内の片付けや掃除のために屋内空間内を移動している移動状態にあるか、ソファや椅子に座って静止状態にあることが考えられ、それら各状態に応じて望ましい照明設備の運転態様があると考えられる。また特に、ユーザが静止状態にある場合には、静止状態にあるユーザがどのような精神状態であるかに応じて望ましい照明設備の運転態様があると考えられる。この点、上記構成によれば、屋内空間内のユーザの移動状況と精神状態とに基づいて、照明設備の運転態様が決定できる。これにより、ユーザの状況に応じて適切とされる照明環境に自動的に制御でき、ユーザの快適性を高めることができる。
【００１０】
第３の発明の照明設備の制御システムは、第１の発明において、
前記位置情報取得手段により取得された前記位置情報に基づいて、前記屋内空間内においてユーザが場所移動を伴う移動状態にあるか又は場所移動を伴わない静止状態にあるかを判定する移動判定手段と、
ユーザが前記静止状態にあると判定された場合に、前記生体情報取得手段により取得された前記生体情報に基づいて、当該ユーザの精神状態がリラックス状態であるか又は集中状態にあるかを判定する精神状態判定手段と、
ユーザが前記リラックス状態にあると判定された場合に、そのリラックス状態でのユーザの行動内容を判定する行動内容判定手段と、
を備え、
前記運転態様決定手段は、前記移動判定手段の判定結果と、前記精神状態判定手段の判定結果と、前記行動内容判定手段の判定結果とに基づいて前記照明設備の運転態様を決定することを特徴とする。
【００１１】
第３の発明によれば、屋内空間内におけるユーザの状況を絞り込んでいくことにより、そのユーザにとって一層適切な照明制御を実現でき、ユーザの快適性を高めることができる。
【００１２】
第４の発明の照明設備の制御システムは、第３の発明において、
前記屋内空間内における複数の場所についてそれらの場所ごとに行動内容が対応付けられており、
前記行動内容判定手段は、前記位置情報に基づき把握されるユーザの所在場所に基づいて、前記行動内容を判定することを特徴とする。
【００１３】
屋内空間内の複数の場所においては、ユーザがその場所において行う動作（行動内容）がある程度定まっている。したがって、ユーザの所在場所に応じて、望ましい照明設備の運転態様があると考えられる。上記構成によれば、ユーザの所在場所に基づいてユーザの行動内容を判定することができ、これにより行動内容に応じた照明制御を実現でき、ユーザの快適性を高めることができる。
【００１４】
第５の発明の照明設備の制御システムは、第１〜４の発明のいずれかにおいて、
前記屋内空間内においてユーザが不在であり、かつペットが存在しているか否かを判定するペット判定手段を備え、
前記運転態様決定手段は、前記ペット判定手段によりユーザが不在であり、かつペットが存在していると判定された場合、前記照明設備の運転態様をペットに適した運転態様に決定することを特徴とする。
【００１５】
第５の発明によれば、屋内空間内においてユーザが不在で、ペットが存在する場合には、照明設備がペットに適した運転態様に制御される。これにより、建物内にペットが存在している場合においても自動的かつ適切に照明設備を制御でき、ペットにとって快適な照明環境とすることができる。
【００１６】
第６の発明の照明設備の制御システムは、第１〜５の発明のいずれかにおいて、
前記建物内の複数の前記屋内空間に前記照明設備がそれぞれ設けられており、
前記運転態様決定手段は、前記建物内の前記屋内空間ごとに定めた、前記位置情報及び前記生体情報と前記照明設備の運転態様との関係を用い、前記位置情報と前記生体情報とに基づいて前記照明設備の運転態様を決定することを特徴とする。
【００１７】
建物内には、例えば、リビング、寝室等の複数の屋内空間があり、これらの屋内空間ごとにユーザにとって望ましい照明設備の運転態様があると考えられる。この点、上記構成によれば、屋内空間ごとに定められた位置情報及び生体情報と照明設備の運転態様との関係を用いて、屋内空間内のユーザの位置情報と生体情報とに基づいて、照明設備の運転態様が決定できる。これにより、屋内空間ごとに、ユーザの状況に応じてより適切とされる照明環境に自動的に制御でき、ユーザの快適性を高めることができる。
【図面の簡単な説明】
【００１８】
【図１】照明設備の制御システムが設けられた建物の構成を示す平面図。
【図２】照明設備の制御システムの電気的構成を示す図。
【図３】記憶部に記録された各居室における所定場所の行動内容の概略図。
【図４】リビングダイニングにおける照明制御処理を示すフローチャート。
【図５】寝室における照明制御処理を示すフローチャート。
【発明を実施するための形態】
【００１９】
以下、本発明を具体化した一実施の形態について図面を参照しつつ説明する。図１は照明設備の制御システムが設けられた建物の構成を示す平面図であり、照明設備の制御システムは住宅等の建物１０に設けられている。
【００２０】
図１に示すように、建物１０にはリビングダイニング（以下、ＬＤ）１１、寝室１２等が設けられている。ＬＤ１１には、リビングルーム（以下、ＬＲ）１３と、ダイニングルーム（以下、ＤＲ）１４とが設けられている。以下では、ＬＤ１１及び寝室１２を各居室１１，１２と称する場合もある。建物１０には、各居室１１，１２の他、複数の居室、廊下、トイレ、浴室等の空間が設けられているが図示は省略する。
【００２１】
ＬＲ１３には、テレビ１５と、ソファ１６と、作業台１７及び作業台用イス１７ａとが配置されている。そして、ソファ１６付近の天井には、リビング照明（以下、Ｌ照明）２１が設けられ、作業台１７付近の天井には、リビングダウンライト（以下、Ｌダウンライト）２２が設けられている。Ｌ照明２１は、４つのライト２１ａから構成され、Ｌダウンライト２２は、２つのライト２２ａから構成されている。
【００２２】
ＤＲ１４には、ダイニングテーブル１８及びダイニング用イス１８aが配置されている。そして、ダイニングテーブル１８付近の天井には、ダイニング照明（以下、Ｄ照明）２３が設けられ、Ｄ照明２３とＤＲ１４の壁との間の天井には、ダイニングダウンライト（以下、Ｄダウンライト）２４が設けられている。ダイニング照明２３は、３つのライト２３ａから構成されている。
【００２３】
寝室１２には、ベッド１９が配置されている。そして、ベッド１９付近の天井には、ベッド照明（以下、Ｂ照明）２５が設けられ、ベッド１９付近の壁には、ベッドウォールライト（以下、Ｂウォールライト）２６が設けられている。
【００２４】
本実施形態では、各照明２１〜２６は、明るさを３段階（明るさ…１：暗め、２：中間、３：明るい）で、色調を３種類（電球色、昼白色、昼光色）で調整できる構成とされ、各照明２１〜２６はこれらの組み合わせにより点灯される。
【００２５】
ＬＲ１３、ＤＲ１４及び寝室１２には、例えば天井又は壁に、バイタルセンサ２７，２８，２９がそれぞれ設けられている。各バイタルセンサ２７〜２９は、ＬＲ１３、ＤＲ１４及び寝室１２内の生体の存在の有無を検出し、生体が存在する場合にはその位置を検出するセンサである。すなわち、各バイタルセンサ２７〜２９は、ＬＲ１３、ＤＲ１４及び寝室１２内の生体情報と、その生体の位置情報とを検出する。例えば、各バイタルセンサ２７〜２９は、ＬＲ１３、ＤＲ１４及び寝室１２の各空間に向けて１０ＧＨｚ以上のマイクロ波を照射する構成を備える。生体は１０ＧＨｚ以上のマイクロ波を反射するため、各バイタルセンサ２７〜２９は、反射されたマイクロ波に基づいて体表の動き（運動量）をセンシングすることにより、ＬＲ１３、ＤＲ１４及び寝室１２内の生体の存在、その位置、動き、大きさ、及び心拍数を非接触で算出する。
【００２６】
次に、照明設備の制御システムの電気的構成について図２に基づいて説明する。図２は、照明設備の制御システムの電気的構成を示す図である。
【００２７】
照明設備の制御システムは、当該システムを統括管理（制御）するコントローラ３０を備える。コントローラ３０は、例えば、ＤＲ１４の壁に取り付けられている。コントローラ３０は、ＣＰＵ、ＲＯＭ、ＲＡＭ等からなる周知のマイクロコンピュータを備えて構成されている。コントローラ３０は、各種情報を記憶する記憶部３１と、現在時刻と同期する計時装置であるタイマ３２とを有している。記憶部３１には、各居室１１，１２の間取り図（各居室１１，１２における所定場所の配置）と、各居室１１，１２及び所定場所の位置情報（各バイタルセンサ２７〜２９の取り付け位置を基準する位置座標）とが紐付けされて記憶されている。
【００２８】
コントローラ３０には、各バイタルセンサ２７〜２９が接続され、各バイタルセンサ２７〜２９による検出結果が逐次入力される。これにより、コントローラ３０は、各バイタルセンサ２７〜２９により、各居室１１，１２内における生体の存在、その位置、動き、大きさ、及び心拍数に関する情報を取得する。すなわち、コントローラ３０は、各居室１１，１２内におけるユーザの位置情報とユーザの生体情報とを取得する。よって、コントローラ３０が位置情報取得手段及び生体情報取得手段に相当する。
【００２９】
コントローラ３０は、各バイタルセンサ２７〜２９からの検出結果（生体の存在、その位置、動き、大きさ、及び心拍に関する情報）を取得すると、タイマ３２により計時される時刻情報を参照して、その取得した検出結果とその取得時刻とを対応付けて記憶部３１に記憶する。
【００３０】
コントローラ３０は、各バイタルセンサ２７〜２９からの検出結果に基づいて、各居室１１，１２内に生体がいるか否かを判定する。コントローラ３０が生体判定手段に相当する。
【００３１】
ここで、各居室１１，１２内に生体がいると判定された場合には、コントローラ３０には、各バイタルセンサ２７〜２９によりその生体の存在だけでなく、その位置、動き、大きさ、心拍に関する情報が入力されている。そこで、本実施形態では、コントローラ３０は、その大きさと心拍の数値とに基づき、その生体が人（人間）であるか否かを判定する。コントローラ３０が人判定手段に相当する。
【００３２】
そして、コントローラ３０は、各バイタルセンサ２７〜２９により検出された生体が人であると判定された場合には、各バイタルセンサ２７〜２９により検出された生体の位置及び動き情報に基づいて、各居室１１，１２内におけるユーザが場所移動を伴う移動状態であるか又は場所移動を伴わない静止状態にあるかを判定する。コントローラ３０が移動判定手段に相当する。
【００３３】
そして、コントローラ３０は、各居室１１，１２内におけるユーザが場所移動を伴なわない静止状態である場合には、各バイタルセンサ２７〜２９により検出された生体の心拍の情報に基づいて、その人がリラックスしている状態であるか又は集中している状態であるかを判定する。コントローラ３０が精神状態判定手段に相当する。
【００３４】
本実施形態では、図３に示すように、記憶部３１において、各居室１１，１２における所定場所の行動内容が記録（登録）されている。よって、各バイタルセンサ２７〜２９により検出された生体の位置及び動き情報と、記憶部３１に記憶された各居室１１，１２における所定場所の位置情報とを照合することにより、各居室１１，１２内における人の位置（所在場所）が検出できる。コントローラ３０は、検出された各居室１１，１２内における人の所在場所と、記憶部３１に記録された所定場所の行動内容とに基づいて、ユーザの行動を判定する。コントローラ３０が行動内容判定手段に相当する。
【００３５】
さらに、コントローラ３０は、各バイタルセンサ２７〜２９により検出された生体の動き情報に基づいて、その人が睡眠状態であるか否かを判定することができる。
【００３６】
コントローラ３０は、建物１０内の屋内空間（各居室１１，１２）ごとに定めた、位置情報及び生体情報と照明設備２１〜２６の運転態様との関係を用い、位置情報と生体情報とに基づいて照明設備２１〜２６の運転態様を決定する。すなわち、コントローラ３０は、バイタルセンサ２７，２８により取得された情報に基づいて、ＬＤ１１内の各照明２１〜２４の点灯及び消灯と、点灯する場合にはその明るさ及び色調とを制御し、バイタルセンサ２９により取得された情報に基づいて、寝室１２内の各照明２５，２６の点灯及び消灯と、点灯する場合にはその明るさ及び色調とを制御する。コントローラ３０が運転態様決定手段に相当する。
【００３７】
次に、コントローラ３０により実行されるＬＤ１１における照明制御処理について図４に示すフローチャートに基づいて説明する。本処理は、所定の時間周期（例えば、１０分）で繰り返し実行される。
【００３８】
図４に示すように、まずステップＳ２０では、生体情報及び位置情報を取得する。ここでは、記憶部３１に記憶されているＬＲ１３及びＤＲ１４に設けた各バイタルセンサ２７，２８からの検出結果を読み出して取得する。なお、本処理は所定の時間周期で行われているため、現時刻から１０分前までの間における検出結果が取得される。
【００３９】
続くステップＳ２１では、ステップＳ２０で取得された各バイタルセンサ２７，２８からの検出結果に基づいて、ＬＤ１１内において生体が検出されたか否かを判定する。各バイタルセンサ２７，２８により生体の存在が検出された場合には、ステップＳ２２に進む。各バイタルセンサ２７，２８により生体の存在が検出されていない場合には、ステップＳ２８へ進む。
【００４０】
ステップＳ２８では、不在用照明制御を行う。本実施形態では、ＬＤ１１内に設けられた各照明２１〜２４の全て、すなわち、Ｌ照明２１、Ｌダウンライト２２、Ｄ照明２３及びＤダウンライト２４を消灯する。消灯後、本処理を終了する。
【００４１】
ステップＳ２２では、ＬＤ１１内に存在している生体が人（人間）であるか否かを判定する。本実施形態では、各バイタルセンサ２７，２８により検出された生体の心拍が６０〜１００回／分の範囲内であり、かつ大きさが１００〜１８０ｃｍである場合には、その生体は人であると判定し、ステップＳ２３へ進む。検出された生体の心拍が６０〜１００回／分の範囲外、又は大きさが１００〜１８０ｃｍの範囲外である場合には、その生体は人でないと判定し、ステップＳ２９へ進む。
【００４２】
ステップＳ２９では、ＬＤ１１内にいる人以外の生体（例えば、犬やハムスター等のペット）に適したペット用照明制御を行う。本実施形態では、明るさ１、昼光色でＬ照明２１を点灯する。なお、Ｌダウンライト２２、Ｄ照明２３、Ｄダウンライト２４は点灯しない。その後、ＬＤ１１における照明制御処理を終了する。
【００４３】
ステップＳ２３では、ステップＳ２０で取得された各バイタルセンサ２７，２８からの検出結果に基づいて、ＬＤ１１内にいる人は場所移動を伴う移動状態であるか否かを判定する。
【００４４】
ここで、場所移動を伴う移動状態とは、掃除や片づけなどでＬＤ１１内を動き回っている状態を意味する。よって、同じ場所に留まり、体の一部を動かす等の状態は、場所移動を伴わないため、本実施形態では移動状態とみなさない。ＬＲ１３及びＤＲ１４に設けた各バイタルセンサ２７，２８からの検出結果である生体の位置及び動き情報において、所定時間（例えば、現時刻から１分前まで間）内の位置変化により、場所移動を伴う移動状態であるか否かを判定する。所定時間内の位置変化により場所移動を伴う移動状態であると判定された場合には、ステップＳ３０へ進む。所定時間内の位置変化により場所移動を伴う移動状態でないと判定された場合には、ステップＳ２４へ進む。
【００４５】
ステップＳ３０では、場所移動を伴う移動状態に適した移動用照明制御を行う。ここで、上記パターンのような場所移動は、人が片づけや掃除を行っているためにＬＤ１１内を動き回っている場合と想定される。そのため、ＬＤ１１において床上の埃等が識別しやすいように、明るさ２、昼白色で、ＬＤ１１内に設けられた各照明２１〜２４の全て（すなわち、Ｌ照明２１、Ｌダウンライト２２、Ｄ照明２３及びＤダウンライト２４）を点灯する。その後、ＬＤ１１における照明制御処理を終了する。
【００４６】
ステップＳ２４では、ステップＳ２０で取得された各バイタルセンサ２７，２８からの検出結果に基づいて、ＬＤ１１内にいる人は集中状態であるか否かを判定する。ここでは、各バイタルセンサ２７，２８からの検出結果である生体の心拍において、その数値が所定の数値範囲（例えば、６０〜８５回／分）内の場合には、集中状態であると判定する。心拍が所定の数値範囲内である場合には、集中状態であるとしてステップＳ３１へ進む。心拍が所定の数値範囲内でない場合には、集中状態ではないとしてステップＳ２５へ進む。
【００４７】
ステップＳ３１では、集中状態に適した集中作業用照明制御を行う。ここで、集中状態とは、人が読書、手芸、勉強等の手元のみの作業を行っている場合が想定される。そのため、ＬＤ１１において手元が明るくなるように、明るさ３、昼光色で、ＬＤ１１内に設けられた各照明２１〜２４の全て（すなわち、Ｌ照明２１、Ｌダウンライト２２、Ｄ照明２３及びＤダウンライト２４）を点灯する。その後、ＬＤ１１における照明制御処理を終了する。
【００４８】
ステップＳ２５では、ステップＳ２０で取得された各バイタルセンサ２７，２８からの検出結果に基づいて、ＬＤ１１内にいる人はＤＲ１４にいるか否かを判定する。ここでは、各バイタルセンサ２７，２８からの検出結果である生体の位置及び動き情報において、その位置を、記憶部３１に記録された各居室１１，１２の位置情報と照合することにより、ＬＤ１１内にいる人はＤＲ１４にいるか否かが判定される。ＤＲ１４にいる場合にはステップＳ３２に進む。ＤＲ１４にいない場合、すなわち、ＬＲ１３にいる場合にはステップＳ２６へ進む。
【００４９】
ステップＳ３２では、ＤＲ１４内にいる人の行動に適した照明制御を行う。ここで、記憶部３１には、ＤＲ１４内にいる人の行動内容が「食事中、コミュニケーション中」と記憶されている。ここでは、この行動内容に適した照明制御が行われる。具体的には、ＤＲ１４において手元が明るくなるように、明るさ３、電球色でＤ照明及びＤダウンライト２４を点灯し、ＬＲ１３においては明るさ２、昼白色でＬ照明２１を点灯する。なお、Ｌダウンライト２２は点灯しない。その後、ＬＤ１１における照明制御処理を終了する。
【００５０】
ステップＳ２６では、ステップＳ２０で取得された各バイタルセンサ２７，２８からの検出結果に基づいて、ＬＲ１３内にいる人が睡眠状態であるか否かを判定する。ここでは、ＬＲ１３に設けたバイタルセンサ２７からの検出結果である生体の動き（体動）に基づいて睡眠状態であるか否かを判定する。具体的には、所定時間の間、検出された人が動いていない（すなわち、同じ場所に留まり、かつ体全体が静止状態の）場合には、睡眠状態であると判定してステップＳ３３へ進む。所定時間の間に検出された人が動いている（すなわち、場所移動したり、体の一部が動いている状態の）場合には、睡眠状態ではないとしてステップＳ２７へ進む。
【００５１】
ステップＳ３３では、睡眠状態に適した仮眠用照明制御を行う。ここで、ＬＲ１３において睡眠状態である場合は仮眠であることが想定される。そのため、睡眠している場所（すなわち、ＬＲ１３）においては暗くしつつ、ＬＤ１１内においては明るさが保たれている方が望ましい。よって、ＬＲ１３において明るさ１、電球色でＬ照明２１を点灯し、ＤＲ１４において明るさ２、昼白色でＤ照明２３を点灯する。なお、Ｌダウンライト２２、Ｄダウンライト２４は点灯しない。その後、ＬＤ１１における照明制御処理を終了する。
【００５２】
ステップＳ２７では、ＬＲ１３にいる人の行動に適した照明制御を行う。ここで、記憶部３１には、ＬＲ１３にいる人の行動内容が「テレビ視聴中、コミュニケーション中」と記憶されている。ここでは、この行動内容に適した照明制御が行われる。具体的には、ＬＲ１３において手元が明るくなるように、明るさ３、昼白色でＬ照明２１及びＬダウンライト２２を点灯し、ＤＲ１４において明るさ２、昼白色でＤ照明２３を点灯する。なお、Ｄダウンライト２４は点灯しない。その後、ＬＤ１１における照明制御処理を終了する。
【００５３】
続いて、コントローラ３０により実行される寝室１２における照明制御処理について図５に示すフローチャートに基づいて説明する。本処理は、所定の時間周期（例えば、１０分）で繰り返し実行される。
【００５４】
図５に示すように、まずステップＳ４０では、生体情報及び位置情報を取得する。ここでは、記憶部３１に記憶されている寝室１２に設けたバイタルセンサ２９からの検出結果を読み出して取得する。なお、本処理は所定の時間周期で行われているため、現時刻から１０分前までの間における検出結果が取得される。
【００５５】
続くステップＳ４１では、ステップＳ４０で取得されたバイタルセンサ２９からの検出結果に基づいて、寝室１２内において生体が検出されたか否かを判定する。バイタルセンサ２９により生体の存在が検出された場合には、ステップＳ４２に進む。バイタルセンサ２９により生体の存在が検出されていない場合には、ステップＳ４８へ進む。
【００５６】
ステップＳ４８では、不在用照明制御を行う。本実施形態では、寝室１２内に設けられた各照明２５，２６全て（すなわち、Ｂ照明２５及びＢウォールライト２６）を消灯する。消灯後、本処理を終了する。
【００５７】
ステップＳ４２では、寝室１２内に存在している生体が人であるか否かを判定する。本実施形態では、バイタルセンサ２９により検出された生体の心拍が６０〜１００回／分の範囲内であり、かつ大きさが１００〜１８０ｃｍである場合には、その生体は人であると判定し、ステップＳ４３へ進む。検出された生体の心拍が６０〜１００回／分の範囲外、又は大きさが１００〜１８０ｃｍの範囲外である場合には、その生体は人でないと判定し、ステップＳ４９へ進む。
【００５８】
ステップＳ４９では、寝室１２内にいる人以外の生体（例えば、犬やハムスター等のペット）に適したペット用照明制御を行う。本実施形態では、明るさ１、昼光色でＢ照明２５を点灯する。なお、Ｂウォールライト２６は点灯しない。その後、寝室１２における照明制御処理を終了する。
【００５９】
ステップＳ４３では、ステップＳ４０で取得されたバイタルセンサ２９からの検出結果に基づいて、寝室１２内にいる人は場所移動を伴う移動状態であるか否かを判定する。ここでは、上記のＬＤ１１における照明制御処理と同様に、寝室１２に設けたバイタルセンサ２９からの検出結果である生体の位置及び動き情報において、所定時間（例えば、現時刻から１分前まで間）内の位置変化により、場所移動を伴う移動状態であるか否かを判定する。なお、場所移動を伴う移動状態とは、上記のＬＤ１１における照明制御処理と同様に、掃除や片づけなどで寝室１２内を動き回っている状態を意味する。所定時間内の位置変化により場所移動を伴う移動状態であると判定された場合には、ステップＳ５０へ進む。所定時間内の位置変化により場所移動を伴う移動状態でないと判定された場合には、ステップＳ４４へ進む。
【００６０】
ステップＳ５０では、場所移動を伴う移動状態に適した移動用照明制御を行う。ここでは、片づけや掃除を行っているために寝室１２内を動き回っている場合と想定されるため、寝室１２において床上の埃等が識別しやすいように、明るさ２、昼白色で寝室１２内の各照明２５，２６全て（すなわち、Ｂ照明２５及びＢウォールライト２６）を点灯する。その後、寝室１２における照明制御処理を終了する。
【００６１】
ステップＳ４４では、ステップＳ４０で取得されたバイタルセンサ２９からの検出結果に基づいて、寝室１２内にいる人は集中状態であるか否かを判定する。ここでは、上記のＬＤ１１における照明制御処理と同様に、寝室１２に設けたバイタルセンサ２９からの検出結果である生体の心拍が所定の数値範囲（例えば、６０〜８５回／分）内の場合には、集中状態であるとしてステップＳ５１へ進む。心拍が所定の数値範囲内でない場合には、集中状態ではないとしてステップＳ４５へ進む。
【００６２】
ステップＳ５１では、集中状態に適した集中作業用照明制御を行う。ここで、集中状態とは、人が読書、勉強等の手元のみの作業を行っている場合が想定されるため、寝室１２において手元が明るくなるように、明るさ３、昼光色で寝室１２内の各照明２５，２６全て（すなわち、Ｂ照明２５及びＢウォールライト２６）を点灯する。その後、寝室１２における照明制御処理を終了する。
【００６３】
ステップＳ４５では、ステップＳ４０で取得されたバイタルセンサ２９からの検出結果に基づいて、寝室１２内にいる人はベッド１９上にいるか否かを判定する。ここでは、寝室１２に設けたバイタルセンサ２９からの検出結果である生体の位置及び動き情報において、その位置を、記憶部３１に記録された各居室１１，１２内の所定場所の位置情報と照合することにより、寝室１２にいる人はベッド１９上にいるか否かが判定される。ベッド１９上にいる場合にはステップＳ４６に進む。ベッド１９上にいない場合には、ステップＳ５２へ進む。
【００６４】
ステップＳ５２では、寝室１２においてベッド１９上以外の場所にいる人の行動に適した照明制御を行う。ここで、記憶部３１には、ベッド１９上以外の場所にいる人の行動内容が「コミュニケーション中」と記憶されている。ここでは、この行動内容に適した照明制御が行われる。具体的には、ベッド１９上以外の場所において手元が明るくなるように、明るさ３、電球色でＢ照明２５を点灯する。なお、Ｂウォールライト２６は点灯しない。その後、寝室１２における照明制御処理を終了する。
【００６５】
ステップＳ４６では、ステップＳ４０で取得されたバイタルセンサ２９からの検出結果に基づいて、ベッド１９上にいる人が睡眠状態であるか否かを判定する。ここでは、バイタルセンサ２９からの検出結果である生体の動き（体動）に基づいて睡眠状態であるか否かを判定する。具体的には、所定時間の間、検出された人が動いていない（すなわち、同じ場所に留まり、かつ体全体が静止状態の）場合には、睡眠状態であると判定してステップＳ５３へ進む。所定時間の間に検出された人が動いている（すなわち、場所移動したり、体の一部が動いている状態の）場合には、睡眠状態ではないとしてステップＳ４７へ進む。
【００６６】
ステップＳ５３では、睡眠状態に適した就寝用照明制御を行う。ここで、寝室１２において睡眠状態である場合は就寝したことが想定される。そのため、寝室１２全体としては暗くしつつ、うっすらと物が見える程度の明るさが望ましい。よって、明るさ１、電球色でＢウォールライト２６を点灯する。なお、Ｂ照明２５は点灯しない。続くステップＳ５４で、所定時間（例えば、５分）経過後にＢウォールライト２６を消灯し、その後、寝室１２における照明制御処理を終了する。
【００６７】
ステップＳ４７では、ベッド１９上にいる人の行動に適した照明制御を行う。ここで、記憶部３１には、ベッド１９上にいる人の行動内容が「休息中」と記憶されている。ここでは、この行動内容に適した照明制御が行われる。具体的には、ベッド１９上において手元が明るくなるように、明るさ２、電球色で寝室１２内の各照明２５，２６全て（すなわち、Ｂ照明２５及びＢウォールライト２６）を点灯する。その後、寝室１２における照明制御処理を終了する。
【００６８】
以上、詳述した本実施形態の構成によれば、以下の優れた効果が得られる。
【００６９】
（１）建物１０内の各居室１１，１２内においては、各居室１１，１２ごとにユーザの状況に応じて望ましい照明環境（すなわち、各照明２１〜２６の運転態様（例えば、明るさ、色調））があると考えられる。本実施形態によれば、各居室１１，１２ごとに定められたユーザの生体情報と位置情報と各照明２１〜２６の運転態様との関係（すなわち、ＬＤ１１における各照明２１〜２４の運転態様と寝室１２における各照明２５，２６の運転態様）が定められている。これにより、各居室１１，１２内にそれぞれ設けた各バイタルセンサ２７による検出結果に基づいて、ユーザの生体情報と位置情報とを取得し、当該情報に基づいて、上記関係を用いて、各照明２１〜２６の運転態様が決定できる。これにより、ユーザの状況に応じてより適切とされる照明環境に自動的に制御でき、ユーザの快適性を高めることができる。
【００７０】
（２）本実施形態によれば、各居室１１，１２内にそれぞれ設けた各バイタルセンサ２７〜２９による検出結果に基づいて、各居室１１，１２内に生体が存在するか、その生体が人であるか否かが判定される。各居室１１，１２内に人以外の生体（例えば、ペット）が存在する場合には、その人以外の生体に適した照明環境となるように各照明２１〜２６が制御される。これにより、各居室１１，１２内に生体が存在していない場合及び人以外の生体が存在している場合においても自動的かつ適切に各照明２１〜２６を制御でき、過剰な照明環境となることを回避できるため、省エネルギ化を図ることができる。
【００７１】
（３）本実施形態によれば、各居室１１，１２内にそれぞれ設けた各バイタルセンサ２７〜２９による検出結果に基づいて、各居室１１，１２内のユーザの移動状態が判定され、その移動状態に応じて、各照明２１〜２６の運転態様が決定される。すなわち、ユーザが例えば部屋内の片付けや掃除のために各居室１１，１２内を移動している移動状態にある場合には、各照明２１〜２６が片づけや掃除に適した運転態様に制御される。これにより、ユーザの状況に応じて適切とされる照明環境に自動的に制御でき、ユーザの快適性を高めることができる。
【００７２】
（４）本実施形態によれば、ユーザが各居室１１，１２内で移動状態でないと判定された場合には、各居室１１，１２内にそれぞれ設けた各バイタルセンサ２７〜２９による検出結果に基づいて、各居室１１，１２内のユーザが集中状態であるか否かが判定される。そして、各居室１１，１２内のユーザが集中状態である場合には、各照明２１〜２６がその集中状態に適した運転態様に制御される。これにより、ユーザの状況に応じて適切とされる照明環境に自動的に制御でき、ユーザの快適性を高めることができる。
【００７３】
（５）本実施形態によれば、各居室１１，１２内の所定場所において、ユーザがその場所において行う動作（行動内容）があらかじめ定められている。本実施形態では、ユーザが集中状態でない場合には、各バイタルセンサ２７〜２９により検出された生体の位置情報に基づき、各居室１１，１２内におけるユーザの位置（所在場所）を判定する。そして、ユーザが所定場所にいる場合には、ユーザがその所定場所における行動内容を行っていると判定する。これによりユーザの所在場所に基づいてユーザの行動内容を判定することができ、これにより行動内容に応じた照明制御を実現でき、ユーザの快適性を高めることができる。
【００７４】
（６）本実施形態によれば、ユーザが所定場所にいないと判定された場合には、各居室１１，１２内にそれぞれ設けた各バイタルセンサ２７〜２９からの検出結果に基づいて、ユーザが睡眠状態であるか否かを判定する。本実施形態では、各バイタルセンサ２７〜２９からの検出結果である生体の動き（体動）に基づいて睡眠状態であるか否かが判定される。この際、ユーザの位置情報に基づいて、ＬＲ１３内にいる場合と、寝室１２内のベッド１９上にいる場合とでは、各照明２１〜２６の運転態様が異なる。すなわち、位置情報に基づいて、仮眠であるか就寝状態であるかの状況を判定し、照明環境を制御している。これにより、各居室１１，１２ごとに、ユーザの状況に応じて適切とされる照明環境に自動的に制御でき、ユーザの快適性を高めることができる。
【００７５】
本発明は上記実施形態に限らず、例えば次のように実施されてもよい。
【００７６】
（１）上記実施形態では、各バイタルセンサ２７〜２９により生体情報及び位置情報が検出されているが、生体情報及び位置情報を検出するセンサはこれに制限されず、また、生体情報と位置情報とを検出するセンサはそれぞれ別であってもよい。例えば、ユーザが身に着ける接触型バイタルセンサにより検出される脈拍を生体情報としてコントローラ３０が取得してもよい。また、赤外線センサや超音波センサ等の人感センサやカメラを各居室１１，１２内に設け、人感センサやカメラにより検出された結果を位置情報としてコントローラ３０が取得してもよい。
【００７７】
（２）上記実施形態では、各バイタルセンサ２７〜２９により検出された生体の位置及び動き情報に基づいてユーザの移動状態を判定しているが、移動判定手段としてはこれに制限されない。例えば、ユーザに加速度センサを所持させ、加速度センサの検出結果を取得することによりユーザの動き（移動状態）を検出してもよい。
【００７８】
（３）上記実施形態では、ＬＤ１１と寝室１２とにおいて各照明２１〜２６が制御されているが、建物１０内の他の屋内空間に設けられた照明を制御することができる。例えば、寝室１２における各照明２５，２６の制御を子供部屋にそのまま利用してもよい。または、書斎において照明制御をする場合には、書斎に設けられた机を所定の場所として、当該場所においては「仕事中」として集中状態の照明制御をすればよい。
【００７９】
（４）上記実施形態では、各バイタルセンサ２７〜２９により検出された生体の大きさと心拍とに基づいて、検出された生体が人であるか否かを判定しているが、心拍のみに基づいて人であるか否かを判定してもよい。
【００８０】
（５）上記実施形態では、ステップＳ２４，Ｓ４４において心拍に基づいて集中状態であるか否かを判定したが、リラックス状態であるか否かを判定してもよい。各バイタルセンサ２７〜２９からの検出結果である人の心拍が所定の数値範囲（例えば、８５〜１００回／分）内の場合には、リラックス状態であるとする。この場合、リラックス状態である場合には、集中状態ではないとされる。よって、ステップＳ２４の場合にはステップＳ２５へ進み、ステップＳ４４の場合にはステップＳ４５へ進む。
【符号の説明】
【００８１】
１０…建物、１１…リビングダイニング、１２…寝室、１３…リビングルーム、１４…ダイニングルーム、２１…リビング照明、２２…リビングダウンライト、２３…ダイニング照明、２４…ダイニングダウンライト、２５…ベッド照明、２６…ベッドウォールライト、２７，２８，２９…バイタルセンサ、３０…コントローラ。
【図１】
2020173940.tif 000003
【図２】
2020173940.tif 000004
【図３】
2020173940.tif 000005
【図４】
2020173940.tif 000006
【図５】
2020173940.tif 000007